(57)【要約】【課題】送風効率を高め得るとともに、送風路内への異物の侵入を防止し得る送風機能付き内装パネル装置を提供する。【解決手段】送風機能付き内装パネル装置１は、パネル内空間に設けられた内部送風路２と、該内部送風路を介して連通し、パネル表面に開口して吸気口４と排気口３とを構成する一対の通気開口部と、送風手段５と、前記一対の通気開口部のうちの少なくともいずれか一方に設けられた回動自在な開閉扉１５と、この開閉扉の開状態において前記内部送風路の奥側の内壁面２ａから該開閉扉の内側面１５ｃに連なる連続面を構成するＲ面形状を有し、該開閉扉が設けられた通気開口部を出入りする空気と前記内部送風路内を流れる空気の気流方向を変更するよう案内する送風ガイド面１５ｂとを備えている。【選択図】図１
2011027335.tif 000002
【特許請求の範囲】
【請求項１】
パネル内空間に設けられた内部送風路と、
該内部送風路を介して連通し、パネル表面に開口して吸気口と排気口とを構成する一対の通気開口部と、
送風手段と、
前記一対の通気開口部のうちの少なくともいずれか一方に設けられた回動自在な開閉扉と、
この開閉扉の開状態において前記内部送風路の奥側の内壁面から該開閉扉の内側面に連なる連続面を構成するＲ面形状を有し、該開閉扉が設けられた通気開口部を出入りする空気と前記内部送風路内を流れる空気の気流方向を変更するよう案内する送風ガイド面と、
を備えていることを特徴とする送風機能付き内装パネル装置。
【請求項２】
請求項１において、
前記開閉扉は、その開状態における後端部に、該開閉扉の開状態において前記送風ガイド面を構成するＲ形状片を有していることを特徴とする送風機能付き内装パネル装置。
【請求項３】
請求項１または２において、
前記開閉扉が設けられた通気開口部には、ルーバーが設けられており、
前記開閉扉は、閉状態において前記ルーバーの前面側を覆う一方、前記通気開口部を開放するよう回動する際には、該ルーバーを迂回するように移動することを特徴とする送風機能付き内装パネル装置。
【請求項４】
請求項３において、
前記開閉扉が回動して移動する側の前記ルーバーの端部は、回動移動する該開閉扉の内側面に沿うＲ形状面を有していることを特徴とする送風機能付き内装パネル装置。
【請求項５】
鉛直に立てて設置して壁パネルとして使用され、
前記一対の通気開口部は、上下に離間して形成されており、
前記開閉扉は、上方側の通気開口部に設けられるとともに、開状態において重心が回動支点よりも後方となっていることを特徴とする請求項１乃至４のいずれか１項に記載の送風機能付き内装パネル装置。
【発明の詳細な説明】
【技術分野】
【０００１】
本発明は、送風機能を有した内装パネル装置に関する。
【背景技術】
【０００２】
従来から、室内の空気の滞留を防止するためや、冷暖房等によって温度分布が生じた室内の空気を攪拌するために送風機が利用されている。
このような送風機としては、室内に配置される扇風機型のものが知られているが、このようなものでは、室内空間の有効活用が図れないという問題があった。
下記特許文献１では、送風機能を有した間仕切りが提案されており、この間仕切りは、間仕切りの内部に設けられた送風路と、この送風路を介して連通し、間仕切りの表面に開口した吸気口及び排気口と、送風路内に送風手段として設けられたラインフローファンとを備えた構成とされている。
【先行技術文献】
【特許文献】
【０００３】
【特許文献１】特開平６−３０７７０７号公報（図１参照）
【発明の概要】
【発明が解決しようとする課題】
【０００４】
上記特許文献１に記載された間仕切りによれば、間仕切りで区切られた空間内の空気を循環させ、攪拌することができ、また、パネル状の間仕切りであるので、室内空間の有効活用が図れるものではある。
しかしながら、このような間仕切り等のパネルの内部に送風路を設けて、パネルの表面に吸気口と排気口とからなる通気開口部を設けた構成とした場合には、通気開口部を出入りする空気と送風路内を流れる空気の気流方向が大きく９０度に変更されることとなるために、圧力損失が大きくなり、送風効率が低下するという問題があった。
また、送風路内のラインフローファン等の送風手段を停止させている状態では、通気開口部を介して送風路内に埃や虫等の異物が侵入し、送風手段等の内部部品に悪影響を与える可能性があった。
【０００５】
本発明は、上記実情に鑑みなされたものであり、送風効率を高め得るとともに、送風路内への異物の侵入を防止し得る送風機能付き内装パネル装置を提供することを目的としている。
【課題を解決するための手段】
【０００６】
前記目的を達成するために、本発明に係る送風機能付き内装パネル装置は、パネル内空間に設けられた内部送風路と、該内部送風路を介して連通し、パネル表面に開口して吸気口と排気口とを構成する一対の通気開口部と、送風手段と、前記一対の通気開口部のうちの少なくともいずれか一方に設けられた回動自在な開閉扉と、この開閉扉の開状態において前記内部送風路の奥側の内壁面から該開閉扉の内側面に連なる連続面を構成するＲ面形状を有し、該開閉扉が設けられた通気開口部を出入りする空気と前記内部送風路内を流れる空気の気流方向を変更するよう案内する送風ガイド面と、を備えていることを特徴とする。
【０００７】
このような構成とすることで、吸気口から取り入れた室内の空気を、内部送風路を介して送風し、排気口から室内に向けて排出させることができる。従って、当該送風機能付き内装パネル装置を室内の適所に設置することで、室内の空気を循環させ、攪拌することができる。
また、一対の通気開口部のうちの少なくともいずれか一方に開閉扉を設けているので、不使用時には、該開閉扉を閉状態にすることで、内部送風路内への埃や虫等の異物の侵入を防止できるとともに、当該通気開口部を開閉扉によって目立ち難くすることができ、外観を良好なものとできる。
さらに、上記Ｒ面形状を有した送風ガイド面が、該開閉扉が設けられた通気開口部を出入りする空気と内部送風路内を流れる空気の気流方向を、内部送風路の奥側の内壁面、送風ガイド面及び開閉扉の内側面に沿わせてスムーズに変える。従って、圧力損失が低減し、送風効率を向上させることができる。
【０００８】
本発明においては、前記開閉扉が、その開状態における後端部に、該開閉扉の開状態において前記送風ガイド面を構成するＲ形状片を有したものとしてもよい。
この場合、上記通気開口部を出入りする空気と内部送風路内を流れる空気の気流方向を、この開閉扉のＲ形状片と内側面とに沿わせてよりスムーズに変えることができる。
【０００９】
また、本発明においては、前記開閉扉が設けられた通気開口部に、ルーバーを設け、前記開閉扉が、閉状態において前記ルーバーの前面側を覆う一方、前記通気開口部を開放するよう回動する際には、該ルーバーを迂回するように移動するものとしてもよい。
この場合、前記開閉扉が前記通気開口部を開放するよう回動する際に該ルーバーを迂回するように移動することで通気開口部に設けたルーバーに干渉することがない。従って、このルーバーにより、上記開閉扉を開状態にしている場合にも内部送風路内への異物の侵入を防止できる。
また、上記開閉扉が閉状態において上記ルーバーの前面側を被覆するので、該ルーバーが隠蔽され、外観を良好なものとできる。
【００１０】
さらにこのものでは、前記開閉扉が回動して移動する側の前記ルーバーの端部が、回動移動する該開閉扉の内側面に沿うＲ形状面を有したものとしてもよい。
この場合、該ルーバーを迂回するように移動して開閉される開閉扉の移動半径を比較的小さくでき、該開閉扉とルーバーとの隙間を比較的小さくすることができる。
【００１１】
また、本発明に係る送風機能付き内装パネル装置は、鉛直に立てて設置され、壁パネルとして使用されるものである場合、前記一対の通気開口部を、上下に離間させて形成し、前記開閉扉を、上方側の通気開口部に設けるとともに、開状態において重心が回動支点よりも後方となる構造としてもよい。
このような構成とすれば、室内の天井付近または床面付近の空気を吸気し、その逆側に排出させることができるので、室内の空気をより効率的に循環させ、攪拌することができる。
また、該開閉扉の開状態において当該開閉扉の重心が回動支点よりも後方なので、開閉扉には、開状態において後方側、すなわち、開状態を維持する側へのモーメントが作用し、開閉扉の開状態を安定させることができる。従って、該開閉扉の開状態を保持させるロック機構等の固定手段を設ける必要がなく、装置構造の簡略化を図ることができる。
【発明の効果】
【００１２】
本発明に係る送風機能付き内装パネル装置は、上述のような構成としたことで、送風効率を向上させることができるとともに、内部送風路内への異物の侵入を防止することができる。
【図面の簡単な説明】
【００１３】
【図１】（ａ）〜（ｃ）は、いずれも本発明に係る送風機能付き内装パネル装置の一実施形態を模式的に示し、（ａ）は、図２（ａ）におけるＸ−Ｘ線矢視概略縦断面図、（ｂ）及び（ｃ）は、開閉扉の開閉動作を説明するための説明図である。
【図２】（ａ）は、同内装パネル装置の概略全体斜視図、（ｂ）は、同内装パネル装置の一部分解概略斜視図である。
【図３】（ａ）、（ｂ）は、いずれも同内装パネル装置の開閉扉の開閉機構を説明するための概略部分縦断面図である。
【発明を実施するための形態】
【００１４】
以下、本発明の実施の形態について、図面に基づいて説明する。
本実施形態では、送風機能付き内装パネル装置として、図１（ａ）及び図２（ａ）に示すように、壁面Ｗに沿って鉛直に立てて設置される縦長で扁平矩形状の壁パネル１を例示している。
この壁パネル１は、パネル内空間に設けられた内部送風路２と、この内部送風路２を介して連通し、パネル表面に開口して排気口と吸気口とを構成する一対の通気開口部３，４と、送風手段としてのシロッコファン５とを備えている。
【００１５】
一対の通気開口部３，４は、本実施形態では、当該壁パネル１の上下に離間して形成されており、上端部側に排気口３を設け、下端部側に吸気口４を設けた態様としている。
また、壁パネル１は、上下に長い中間部３０、並びにこの中間部３０の上下にそれぞれ接続された上側外郭部１０及び下側外郭部２０からなり、これらの内部空間を連通するように内部送風路２が形成されている。
【００１６】
中間部３０は、図２に示すように、前方及び上下に開口し、縦長の凹溝状に形成されたダクト部材７と、このダクト部材７の前方開口を塞ぐ縦長矩形板状の前面板６とを備えている。前面板６の長手方向の略中間部位で、かつ一方の長辺側に寄った部位には、シロッコファン５のＯＮ／ＯＦＦ操作や風量調整等をするための操作部９が設けられている。
この中間部３０は、図２（ｂ）に示すように、ダクト部材７の両側壁前端部のそれぞれから外方に向けて突設された取付片７ａ，７ａを、前面板６の背面に固着させて組み付けられて上下に開口した中空の略四角筒形状とされ、その内周壁３０ａによって、内部送風路２の一部を区画形成している。
また、前面板６は、ダクト部材７よりも上下長さ及び横幅が大きく形成されており、これらを組み付けた状態では、前面板６の上下左右端部が、ダクト部材７の上下左右端部よりもそれぞれ上下左右方向に向けて延出するように組み付けられている。
【００１７】
下側外郭部２０は、前方及び上方に向けて開口し、シロッコファン５等を収容するケーシング２１と、このケーシング２１の前方開口を塞ぐ前面カバー２２とを備え、この前面カバー２２に、横長矩形状に形成された吸気口４が設けられている。下側外郭部２０は、この吸気口４と上方開口とを連通させた中空形状とされ、その内周壁２０ａによって、内部送風路２の一部を区画形成している。
また、これらケーシング２１と前面カバー２２とを組み付けて下側外郭部２０を構成した状態で、その前面側部は、上記した中間部３０の前面板６の横幅及び板厚に応じた形状とされ、その背面側部は、上記した中間部３０のダクト部材７の横幅及び前後厚さに応じた形状とされている。つまり、前面側部は、上記した前面板６の延出した左右端部と同様、背面側部よりも左右に延出した延出部２６，２６（図２（ｂ）参照）を有している。また、該背面側部は、上記前面側部よりも上方に向けて突出するような形状とされている。この背面側部の上方開口と、上記した中間部３０の下方開口とが連通接続され、かつ、この背面側部の突出した部位の前面に、上記した前面板６の延出した下端部の背面が当接される。
【００１８】
また、上記した吸気口４には、複数の羽板を並設して構成されたルーバー２３が設けられている。
吸気口４の背面側には、図１（ａ）に示すように、フィルタ２４と、ファンカバー２５と、シロッコファン５とが奥側に向けてこの順に配置されている。
フィルタ２４は、塵埃等の捕捉性や脱臭性を有した活性炭フィルタとしてもよい。
シロッコファン５は、当該壁パネル１の横幅（実質的にはダクト部材７の凹溝幅）に応じて、左右方向に複数個、設置されており、前方側から吸入した空気を上方、すなわち、中間部３０の内部空間に向けて吐出する構成とされている。
ファンカバー２５には、このシロッコファン５の吸入部位に対応する部位に、吸気口４とシロッコファン５の吸入部位とを連通させる連通孔２５ａが穿設されている。
尚、下側外郭部２０は、前面カバー２２がケーシング２１に対して容易に着脱できる構造とされており、その内部のフィルタ２４の交換やシロッコファン５のメンテナンス等が前面カバー２２を脱離させることで可能とされている。
【００１９】
上側外郭部１０は、概ね上記した下側外郭部２０を上下に反転させたような外郭形状とされ、前方及び下方に向けて開口したケーシング１１と、このケーシング１１の前方開口を塞ぐ前面カバー１２とを備え、この前面カバー１２に、横長矩形状に形成された排気口３が設けられている。
この排気口３には、排気口３を開閉する回動自在な開閉扉１５と、この開閉扉１５の閉状態において開閉扉１５の背面側に位置するルーバー１３とが設けられている。
開閉扉１５は、図１に示すように、ケーシング１１に設けられた支持軸１６を回動支点として、ルーバー１３を迂回するように上方側かつ後方側に向けて回動移動する構造とされている。尚、これらルーバー１３及び開閉扉１５の詳細については後記する。
【００２０】
上側外郭部１０は、排気口３と下方開口とを連通させた中空形状とされ、その内周壁１０ａによって、内部送風路２の一部を区画形成している。
また、ケーシング１１と前面カバー１２とを組み付けて上側外郭部１０を構成した状態で、その前面側部は、上記同様、中間部３０の前面板６の横幅及び板厚に応じた形状とされ、その背面側部は、上記同様、中間部３０のダクト部材７の横幅及び前後厚さに応じた形状とされて、前面側部の両側が延出部１７，１７とされている。また、該背面側部は、上記前面側部よりも下方に向けて突出するような形状とされている。この背面側部の下方開口と、上記した中間部３０の上方開口とが連通接続され、かつ、この背面側部の突出した部位の前面に、上記した前面板６の延出した上端部の背面が当接される。
【００２１】
また、内部送風路２の奥側内壁面２ａ（図例では上側外郭部１０の奥側内壁面）における、排気口３に対向する部位には、Ｒ形状に湾曲形成された湾曲区画部材１４が固着され、上側外郭部１０の上方空間と、内部送風路２とを区画している。
この湾曲区画部材１４は、その断面形状が、開閉扉１５の支持軸１６の軸心１６ａ（図３参照）を円心とする円を略四等分した程度の四半円弧形状部１４ａの両端部をそれぞれ下方及び前方に延出させた形状とされている。この湾曲区画部材１４は、その下方延出部が内部送風路２の奥側内壁面２ａに固着され、その下端が排気口３の下側縁部と同高さ程度に位置し、また、その前方延出部の前端が排気口３の上側縁部近傍の前面カバー１２の裏面に近接乃至は当接して、上側外郭部１０の上方空間と、内部送風路２とを区画形成している。
【００２２】
上記のように湾曲区画部材１４によって内部送風路２と区画された上方空間には、上記したシロッコファン５及び操作部９と電気的に接続された制御部８が配設されている。
このように内部送風路２と区画された上方空間に制御部８を配設することで、内部送風路２を送風される空気による影響を受け難く、故障等を防止できる。
この制御部８が操作部９からの操作信号を受信し、シロッコファン５の駆動制御（ＯＮ／ＯＦＦ制御、風量制御など）がなされる。
【００２３】
尚、これらシロッコファン５、制御部８及び操作部９への給電は、適宜部位の裏面側に引出した図示しない電源コード等を介してなされる。
また、上側外郭部１０は、上記した下側外郭部２０と同様、前面カバー１２がケーシング１１に対して容易に着脱できる構造とされており、その内部の制御部８のメンテナンス等が前面カバー１２を脱離させることで可能とされている。
【００２４】
上記した排気口３に設けられたルーバー１３は、複数の羽板を並設して構成されており、排気口３の下側縁部近傍の前面カバー１２の裏面から鉛直に立設され、その途中部位から後方側に湾曲するように形成され、その湾曲部の前面がＲ形状面１３ａとされている。このＲ形状面１３ａは、側面視において開閉扉１５の支持軸１６の軸心１６ａ（図３参照）を円心とする円を略四等分した程度の略四半円弧状とされ、このＲ形状面１３ａの始端部が軸心１６ａからの水平線上に概ね位置し、その終端部が軸心１６ａからの垂線上に概ね位置する構成とされている。
また、ルーバー１３のＲ形状面１３ａの終端部は、内部送風路２の奥側内壁面２ａに向けて先細り状とされた尖頭部とされている。このような尖頭部を設けることで、内部送風路２から排気口３に向けて送風される空気への摩擦抵抗を低減でき、圧力損失を低減できる。
このルーバー１３の上端部のＲ形状面１３ａと、排気口３の上側縁部及び上記した湾曲区画部材１４の前方延出部との間には、空隙が形成されており、この空隙が開閉扉１５の迂回移動スペース及び収納スペースとなる。
【００２５】
開閉扉１５は、図１（ｃ）及び図３（ｂ）に示すように、その閉状態において排気口３の大部分を塞ぐ平板部１５ａを有し、この平板部１５ａの一端部（閉状態における上端部、開状態における後端部）には、湾曲形成されたＲ形状片１５ｂが連成されている。
また、開閉扉１５は、この平板部１５ａの左右端部から背面側（閉状態における背面側）に向けて突設された取付片１５ｄを有し、この取付片１５ｄに設けられた軸挿通孔に、上記したケーシング１１に設けられた支持軸１６を挿通させて、この支持軸１６に回動自在に支持されている。尚、取付片１５ｄ及び支持軸１６は、左右の一方のみを図示している。
【００２６】
開閉扉１５の平板部１５ａは、図１（ｃ）及び図３（ｂ）に示すように、開閉扉１５の閉状態において手前面が、壁パネル１の表面と略同一平面となるよう構成され、かつ、内側面１５ｃが、ルーバー１３の手前面に当接乃至は近接対面する構成とされている。
また、平板部１５ａは、図１（ａ）及び図３（ａ）に示すように、開閉扉１５の開状態においてその大部分が上側外郭部１０の内部空間に収容されて略水平に配置され、その開状態における前端部が、壁パネル１の表面よりも前方に向けて突出する構成とされるとともに、排気口３の上側縁部に近接乃至は当接する構成とされている。
【００２７】
開閉扉１５のＲ形状片１５ｂは、その断面形状が、支持軸１６の軸心１６ａを円心とする円を略六等分した程度の円弧形状とされている。
つまり、上記した湾曲区画部材１４の四半円弧形状部１４ａ、ルーバー１３のＲ形状面１３ａ、及び開閉扉１５のＲ形状片１５ｂは、いずれも支持軸１６の軸心１６ａを円心とする同心円の円弧形状とされている。
また、このＲ形状片１５ｂは、図１（ｃ）及び図３（ｂ）に示すように、開閉扉１５の閉状態において上記したルーバー１３の上端部のＲ形状面１３ａと、排気口３の上側縁部及び湾曲区画部材１４の前方延出部との間の空隙に収容される構成とされるとともに、その最後端部が軸心１６ａからの垂線上に位置する構成とされている。
【００２８】
また、Ｒ形状片１５ｂは、図１（ａ）及び図３（ａ）に示すように、開閉扉１５の開状態においてその最後端部が軸心１６ａからの水平線上に位置する構成とされるとともに、内部送風路２の奥側内壁面２ａ（図例では、上記した湾曲区画部材１４の上記下方延出部の手前面）から平板部１５ａの内側面１５ｃに連なる連続面を構成するＲ面形状を有し、内部送風路２内を上方に向けて送風された空気を、排気口３に向けて気流方向を変更するよう案内する送風ガイド面を構成する。つまり、鉛直な内部送風路２の奥側内壁面２ａと、開状態における開閉扉１５の水平な平板部１５ａの内側面１５ｃとの間を、滑らかなＲ面形状とされたＲ形状片１５ｂの内側面で繋ぐような構成としている。
ここに、上記連続面は、開閉扉１５が開閉される際に必要となる内部送風路２の奥側内壁面２ａとのクリアランスや、開閉扉１５の厚みによる段差が形成されるが、これらを含めて連続面としている。
【００２９】
支持軸１６は、上側外郭部１０の内部空間において前後方向略中央部のやや右側寄りで、かつ、排気口３の上下方向略中央部のやや上側寄りに設けられている。
この支持軸１６の軸心１６ａよりも開閉扉１５の重心１５ｅが、図３（ａ）に示すように、開閉扉１５の開状態において後方側かつ上方側に位置する構成とされ、図３（ｂ）に示すように、開閉扉１５の開状態において前方側に位置する構成とされている。
【００３０】
このように、開閉扉１５の重心１５ｅが、開閉扉１５の開状態において支持軸１６の軸心１６ａよりも後方となる構成とすることで、開閉扉１５には、開状態において後方側、すなわち、開状態を維持する側へのモーメントが作用し、開閉扉１５の開状態を安定させることができる。従って、開閉扉１５の開状態を保持させるロック機構等の固定手段を設ける必要がなく、装置構造の簡略化を図ることができる。
特に、本実施形態では、上記したように開閉扉１５の開状態における後端部にＲ形状片１５ｂを設けているので、当該壁パネル１の厚さを大きくすることなく、また、排気口３の上下開口幅を小さくすることなく、効率的に開閉扉１５の重心１５ｅを支持軸１６の軸心１６ａよりも後方に位置させることができる。
また、閉状態では、開閉扉１５の重心１５ｅが、支持軸１６の軸心１６ａよりも前方側に位置するので、閉状態を維持する側へのモーメントが作用し、開閉扉１５の閉状態を安定させることができる。
【００３１】
上記構成とされた開閉扉１５は、開閉がなされる際には、支持軸１６の軸心１６ａを回動支点として、図１の各図に示すように、ルーバー１３を迂回するように移動し、その平板部１５ａの内側面１５ｃがルーバー１３のＲ形状面１３ａに沿うように近接対面しながら移動する。また、回動移動する開閉扉１５は、そのＲ形状片１５ｂの外側面（支持軸１６とは異なる側の面）が湾曲区画部材１４の四半円弧形状部１４ａの手前面に沿うように近接対面しながら移動する。
当該開閉扉１５の開状態では、上記のように、開状態を維持する側へのモーメントが作用しているが、開閉扉１５の平板部１５ａが、排気口３の上側縁部に当接して規制されて、開状態が維持される。
一方、当該開閉扉１５の閉状態では、上記のように、閉状態を維持する側へのモーメントが作用しているが、開閉扉１５の平板部１５ａが、排気口３の下側縁部乃至はルーバー１３の手前面に当接して規制されて、閉状態が維持される。
【００３２】
上記のように構成された壁パネル１では、図１（ａ）に示すように、開閉扉１５を開状態とし、排気口３を開放させ、操作部９をしてシロッコファン５を起動させれば、吸気口４から室内の空気が取り込まれる。
この取り込まれた空気は、シロッコファン５の吐出口から上方に向けて吐出され、内部送風路２を送風される。
この内部送風路２を上方に向けて送風される空気は、上側外郭部１０の内部空間に至り、送風ガイド面を構成する開閉扉１５のＲ形状片１５ｂの内側面によって気流方向を排気口３側に向けて変更するように案内され、開閉扉１５の平板部１５ａの内側面１５ｃに沿うようにして、排気口３から室内空間に向けて排出される。
【００３３】
以上のように、室内の床面付近に位置される下側の吸気口４から吸気した空気を、室内の天井付近に位置される上側の排気口３から排出させることができるので、室内の空気を効率的に循環させ、攪拌することができる。
また、排気口３を開閉する開閉扉１５を設けているので、不使用時には、開閉扉１５を閉状態にすることで、内部送風路２内への埃や虫等の異物の侵入を防止できるとともに、当該排気口３を開閉扉１５によって目立ち難くすることができ、外観を良好なものとできる。
【００３４】
さらに、開閉扉１５の開状態において内部送風路２の奥側内壁面２ａから開閉扉１５の平板部１５ａの内側面１５ｃに連なる連続面を構成するＲ面形状を有した送風ガイド面を構成するＲ形状片１５ｂを開閉扉１５に設けているので、内部送風路２を送風される空気の気流方向を、内部送風路２の奥側内壁面２ａ、開閉扉１５のＲ形状片１５ｂ及び開閉扉１５の平板部１５ａの内側面１５ｃに沿わせてスムーズに変えることができる。従って、圧力損失を低減することができ、送風効率を向上させることができる。
特に、本実施形態では、開閉扉１５の平板部１５ａの前端部が当該壁パネル１の表面よりも前方に向けて突出しているので、この突出した平板部１５ａの前端部が整流部として機能し、よりスムーズかつ効率的な送風がなされる。
【００３５】
さらに、本実施形態では、排気口３に、ルーバー１３を設け、開閉扉１５が、閉状態においてルーバー１３の前面側を覆う一方、排気口３を開放するよう回動する際には、ルーバー１３を迂回するように移動するものとしているので、開閉扉１５を設けた排気口３にルーバー１３を設置することができる。従って、このルーバー１３により、開閉扉１５を開状態にしている場合にも内部送風路２内への異物の侵入を防止できる。
さらにまた、ルーバー１３の前面側を、開閉扉１５を閉状態にすることで被覆できるので、ルーバー１３が隠蔽され、外観を良好なものとできる。
特に、本実施形態では、開閉扉１５が回動して移動する側のルーバー１３の上端部を、回動移動する開閉扉１５の内側面１５ｃに沿うＲ形状面１３ａを有した形状としているので、ルーバー１３を迂回するように移動して開閉される開閉扉１５の移動半径を比較的小さくでき、開閉扉１５とルーバー１３との隙間を比較的小さくすることができる。
【００３６】
尚、上記構成とされた本実施形態に係る壁パネル１を取り付け対象に取り付ける際には、他の壁面材や送風機能付き壁パネルの表面と面一状となるように、一部を壁内部に埋め込ませるようにして取り付けるようにしてもよく、または、既設の壁面に付設するようにしてもよい。
他の壁パネル等の表面と面一状となるように取り付ける場合は、壁内部の間柱間に、上記した上側外郭部１０の背面側部、中間部３０のダクト部材７、及び下側外郭部３０の背面側部を配置し、間柱の前面に、これら上側外郭部１０及び下側外郭部３０の前面側部の延出部１７，２６、並びに中間部３０の前面板６の左右延出部を取り付けるようにしてもよい。
また、既設の壁面に付設する場合は、上記した上側外郭部１０及び下側外郭部３０の前面側部の延出部１７，２６、並びに中間部３０の前面板６の左右延出部の背面側と、壁面との間にスペーサー部材を配設して取り付けるようにしてもよい。または、このような延出部を設けずに、当該壁パネル１の厚さを全体に亘って略均一のものとしてもよく、この場合は、スペーサー部材等は不要である。
このように、本実施形態では、送風機能付き内装パネル装置であるので、壁面を構成するように設置でき、室内設置タイプの扇風機等の送風機に比べて、室内空間の有効活用を図ることができる。
【００３７】
また、本実施形態では、送風機能付き内装パネル装置として、縦長扁平矩形状の壁パネルを例示したが、横長扁平矩形状のものとしてもよく、また、排気口及び吸気口を図例とは逆側に設けるようにしてもよい。
さらに、壁パネルの表面に開口させた一対の通気開口部を上下に離間させて形成した態様を例示しているが、左右に離間させて形成するようにしてもよい。すなわち、当該壁パネルを横置きにして設置するような態様にしてもよい。
【００３８】
さらにまた、本実施形態では、壁パネルの表面に設けられた一対の通気開口部のうち、一方（本例では壁パネル上側の排気口３）に、開閉扉を設けるとともに、送風ガイド面を設けた態様としているが、他方（本例では壁パネル下側の吸気口４）にもこれらのうちの少なくともいずれか一方を設けるようにしてもよい。このように壁パネルの下側の通気開口部に、開閉扉及び送風ガイド面を設ける場合には、開閉扉を、下方側かつ後方側に向けて回動移動とする構成とすればよい。つまり、一方の通気開口部を開閉する開閉扉は、他方の通気開口部から離間する方向かつ後方側に向けて回動移動する構成とすればよい。
【００３９】
また、本実施形態では、開閉扉の開状態における後端部のＲ形状片が送風ガイド面を構成する態様としているが、このような態様に限られない。開閉扉の形状を平板状とし、この開閉扉の開状態において開閉扉の内側面に連なる連続面を構成するＲ面形状を有した送風ガイド面を、内部送風路の奥側内壁面に設けるようにしてもよい。例えば、図例の湾曲区画部材が送風ガイド面を構成するようにしてもよい。または、これら開閉扉の一部と、内部送風路の奥側内壁面を構成する湾曲区画部材の一部とによって送風ガイド面を構成するようにしてもよい。
さらに、図例では、送風ガイド面を構成する開閉扉のＲ形状片と内部送風路の奥側内壁面との間にクリアランスや開閉扉の厚さの段差が形成されるような態様としているが、段差を緩和するように開閉扉のＲ形状片の最後端部の形状を、上記ルーバーのような先細りの尖頭形状にしてもよい。また、湾曲区画部材の下方延出部の下端部の形状も上記同様の先細りの尖頭形状としてもよい。このような態様によれば、より圧力損失を低減することができる。
【００４０】
さらにまた、本実施形態では、内部送風路内の空気を送風するための送風手段として、シロッコファンを設けた例を示しているが、内部送風路内の途中部位に、クロスフローファンや軸流ファン等を送風手段として設けるようにしてもよい。このように、クロスフローファン等の送風手段を内部送風路の途中部位に設ける場合には、上記したような送風ガイド面を、内部送風路の両端部に設けることで、送風効率を向上させるようにしてもよい。
また、本実施形態では、開閉扉が設けられた通気開口部にルーバーを設けた態様としているが、開閉扉を閉状態とすれば、異物等の侵入を防止できるので、ルーバーを設けない態様としてもよい。
さらに、本実施形態では、開閉扉が手動開閉されるものとし、かつ、上方側の通気開口部に設けて、その開状態が安定するように、開閉扉の重心位置を、開閉扉の回動支点よりも後方側に位置するように構成した例を示しているが、このような構成に代えて、開閉扉の開状態及び閉状態を保持させるロック機構等を設けるようにしてもよい。
【００４１】
さらにまた、本実施形態に係る壁パネルの内部送風路内に、調湿材や脱臭剤等の機能性材料を含み、送風方向に開口する多数の中空筒状セルの集合体からなるハニカム状構造体を配設するようにしてもよい。このような調湿性や脱臭性を有したハニカム状構造体を内部送風路内に配設することで、室内の空気を調湿、脱臭することができる。
また、本実施形態に係る壁パネルの内部送風路を、送風方向に沿って分割する仕切板を設けるとともに、それぞれに独立駆動可能な送風手段を設け、一方を上記同様の下側吸気、上側排気とし、他方を上側吸気、下側排気とするような態様としてもよい。これによれば、室内空間の温度分布の状況に応じて、いずれかの送風手段を駆動させることで、室内空間の温度差をより効率的に減少させることができる。
または、このように内部送風路を分割する態様とした場合には、いずれかの内部送風路に、ハニカム状構造体を配設するような態様としてもよい。
このように、内部送風路を分割する態様とした場合には、上記した各通気開口部及び開閉扉を各内部送風路に対応させて複数個、設けるようにしてもよい。
【符号の説明】
【００４２】
１        壁パネル（送風機能付き内装パネル装置）
２        内部送風路
２ａ      奥側内壁面
３        排気口（通気開口部）
４        吸気口（通気開口部）
５        シロッコファン（送風手段）
１３      ルーバー
１３ａ    Ｒ形状面
１５      開閉扉
１５ｂ    Ｒ形状片（送風ガイド面）
１５ｃ    開閉扉の平板部の内側面
１５ｅ    開閉扉の重心
１６ａ    支持軸の軸心（開閉扉の回動支点）
【図１】
2011027335.tif 000003
【図２】
2011027335.tif 000004
【図３】
2011027335.tif 000005